(57)【要約】【課題】ボタン付けの作業性の向上を図ることのできる互いに嵌合可能な雄くるみボタンと雌くるみボタンを提供する。【課題を解決するための手段】ベースとなる第１台部と、前記第１台部に配置される雄ホック部と、前記第１台部に載置されるカラー部と、前記第１台部と、前記カラー部と、において挟み込まれて固定されるくるみ部材と、を有する雌くるみボタンと嵌合する雄くるみボタンである【選択図】          図１
2019162238.tif 000002
【特許請求の範囲】
【請求項１】
ベースとなる第１台部と、
前記第１台部に配置される雄ホック部と、
前記第１台部に載置されるカラー部と、
前記第１台部と、前記カラー部と、において挟み込まれて固定されるくるみ部材と、を有する雌くるみボタンと嵌合可能な雄くるみボタン。
【請求項２】
前記第１台部に、生地と固定するための雄用リベットと嵌合するための孔部を有する請求項１記載の雄くるみボタン。
【請求項３】
前記第１台部は、前記孔部を取り囲むように同心円状の凹部と、切り欠き状を呈する切り欠き部と、をさらに有し、
前記雄ホック部は、前記凹部に配置され、前記カラー部は、前記切り欠き部に配置された請求項２記載の雄くるみボタン。
【請求項４】
生地に取り付けるための雄用リベットと、をさらに有し、前記雄用リベットは、前記生地と固定するために前記孔部と嵌合した請求項２または３記載の雄くるみボタン。
【請求項５】
ベースとなる第２台部と、
前記第２台部に配置される雌ホック部と、
前記第２台部に載置される第２カラー部と、
前記第２台部と、前記第２カラー部と、において挟み込まれて固定される第２くるみ部材と、を有する雄くるみボタンと嵌合可能な雌くるみボタン。
【請求項６】
前記雌ホック部に、生地と固定するための雌用リベットと嵌合するための筒部を有する請求項１記載の雄くるみボタン。
【請求項７】
前記第２台部は、前記孔部を取り囲むように同心円状の第２凹部と、切り欠き状を呈する第２切り欠き部と、をさらに有し、
前記雌ホック部は、前記第２凹部に配置され、前記第２カラー部は、前記第２切り欠き部に配置された請求項２記載の雌くるみボタン。
【請求項８】
生地に取り付けるための雌用リベットと、をさらに有し、前記雌用リベットは、前記生地と固定するために前記筒部と嵌合した請求項６または７記載の雌くるみボタン。
【発明の詳細な説明】
【技術分野】
【０００１】
本発明は、互いに嵌合可能な雄くるみボタンと雌くるみボタンに関するものである。
【背景技術】
【０００２】
従来のナイロンホックでは、部材の押し込み方向に押し曲げられるばねであったため、温度、湿度の差によって雌部材の嵌合片が縮んだり伸びたりの影響を受け、外れにくくなったり、ゆるくなったりするという問題があった。それだけではなく、乾季に嵌合がきつくなると、簡単に外れず、誤って引っ張ると生地を引き裂いてしまうということになりかねない。そこで本発明者は特開２００５−６８４０号公報に開示されているように、常に安定した嵌合、分離操作が可能なプラスチック製ホックを開発した。
【０００３】
上記の発明はくるみボタンであり、それ自体の機能については申し分ないが、それ以上のものではなく、例えば、取り付け部に適当数個の取り付け穴が設けられ、その取り付け孔に糸を通すことで、服に縫い付けて止めるようになっている。その際に、その生地が薄い場合に、引きつるようになる恐れがあり、それをしないように、そのくるみボタン付けを慎重に行うことになりボタン付けの作業性が低下する場合がある。
【先行技術文献】
【特許文献】
【０００４】
【特許文献１】特開２００５−６８４０号
【発明の概要】
【発明が解決しようとする課題】
【０００５】
本発明は前記の点に鑑みなされたもので、その課題は、生地にボタンを付ける際の作業性の向上を図ることのできる互いに嵌合可能な雄くるみボタンと雌くるみボタンを提供することである。
【課題を解決するための手段】
【０００６】
前記の課題を解決するため、雌くるみボタンと嵌合可能な第１観点の雄くるみボタンは、ベースとなる第１台部と、第１台部に配置される雄ホック部と、第１台部に載置されるカラー部と、第１台部と、カラー部と、において挟み込まれて固定されるくるみ部材と、を有するというものである。
【０００７】
また、第２観点の雄くるみボタンは、第１観点において、第１台部に、生地と固定するための雄用リベットと嵌合するための孔部を有するというものである。
【０００８】
また、第３観点の雄くるみボタンは、第２観点において、第１台部は、孔部を取り囲むように同心円状の凹部と、切り欠き状を呈する切り欠き部と、をさらに有し、雄ホック部は、凹部に配置され、カラー部は、切り欠き部に配置されたというものである。
【０００９】
また、第４観点の雄くるみボタンは、第２観点または第３観点において、生地に取り付けるための雄用リベットと、をさらに有し、雄用リベットは、生地と固定するために孔部と嵌合したというものである。
【００１０】
前記の課題を解決するため、雄くるみボタンと嵌合可能な第５観点の雌くるみボタンは、ベースとなる第２台部と、第２台部に配置される雌ホック部と、第２台部に載置される第２カラー部と、第２台部と、前記第２カラー部と、において挟み込まれて固定される第２くるみ部材と、を有するというものである。
【００１１】
また、第６観点の雌くるみボタンは、第５観点において、雌ホック部に、生地と固定するための雌用リベットと嵌合するための筒部を有するというものである。
【００１２】
また、第７観点の雌くるみボタンは、第６観点において、第２台部は、孔部を取り囲むように同心円状の第２凹部と、切り欠き状を呈する第２切り欠き部と、をさらに有し、雌ホック部は、第２凹部に配置され、第２カラー部は、第２切り欠き部に配置されたというものである。
【００１３】
また、第８観点の雄くるみボタンは、第６観点または第７観点において、生地に取り付けるための雌用リベットと、をさらに有し、雌用リベットは、前記生地と固定するために筒部と嵌合したというものである。
【発明の効果】
【００１４】
本発明は以上のように構成され、かつ、作用するものであるから、生地にボタンを付ける際の作業性の向上を図ることのできる互いに嵌合可能な雄くるみボタンと雌くるみボタンを提供することができる。
【図面の簡単な説明】
【００１５】
【図１】Ａは、雄くるみボタンの平面図である。Ｂは、雄くるみボタンの底面図である。
【図２】Ａは、雄くるみボタンの側面図である。Ｂは、雄くるみボタンの断面図である。
【図３】雄くるみボタンの分解斜視図である。
【図４】Ａは、第１台部の平面図である。Ｂは、第１台部の側面図である。Ｃは、第１台部の断面図である。Ｄは、第１台部の底面図である。
【図５】Ａは、雌くるみボタンの平面図である。Ｂは、雌くるみボタンの底面図である。
【図６】Ａは、雌くるみボタンの側面図である。Ｂは、雌くるみボタンの断面図である。
【図７】雌くるみボタンの分解斜視図である。
【図８】Ａは、第２台部の平面図である。Ｂは、第２台部の側面図である。Ｃは、第２台部の断面図である。Ｄは、第２台部の底面図である。
【図９】Ａは、それぞれの生地に、雄くるみボタンと、雌くるみボタンと、をそれぞれ雄用リベットと雌用リベットと、で固定しようとする側面図である。Ｂは、それぞれの生地に、雄くるみボタンと、雌くるみボタンと、をそれぞれ雄用リベットと雌用リベットと、で固定した状態の側面図である。Ｃは、雄用リベットで生地に固定した雄くるみボタンと、雌用リベットで生地に固定した雌くるみボタンと、嵌合した状態の側面図である。
【図１０】Ａは、それぞれの生地に、雄くるみボタンと、雌くるみボタンと、をそれぞれ雄用リベットと雌用リベットと、で固定しようとする断面図である。Ｂは、それぞれの生地に、雄くるみボタンと、雌くるみボタンと、をそれぞれ雄用リベットと雌用リベットと、で固定した状態の断面図である。Ｃは、雄用リベットで生地に固定した雄くるみボタンと、雌用リベットで生地に固定した雌くるみボタンと、嵌合した状態の断面図である。
【発明を実施するための最良の形態】
【００１６】
以下、実施例を説明する。本実施例の雄くるみボタン１００と雌くるみボタン２００は互いに嵌合可能であり、後述するように、雄用リベット１８０と雌用リベット２８０とをそれぞれ用いることによって、後述するようにそれぞれの生地Ｘ、Ｙに雄くるみボタン１００と雌くるみボタン２００とをそれぞれ取り付けることができる。従って例えば、ジャケットの前身ごろを留めあわせるために、雄くるみボタン１００と雌くるみボタン２００とを使用することができる。
【００１７】
雄くるみボタン１００は、ベースとなる第１台部１１０と、その第１台部１１０に配置される雄ホック部１２０と、カラー部１３０と、それらを包むくるみ部材１４０とを有する。
【００１８】
ベースとなる第１台部１１０は、文字通り、雄ホック部１２０を載置するための台となるものであって、平面視ほぼ円盤状を呈し、ほぼ雄くるみボタン１００の形状を構成するものである。この第１台部１１０はその中心に、雄用リベット１８０を配置するために中空筒状の空所を有する孔部１１１を有している。また、孔部１１１を取り囲むように同心円状の凹部である凹部１１２を有する。この凹部１１２に上述の雄ホック部１２０を載置する。なお、第１台部１１０は合成樹脂で作成することが好ましい。
【００１９】
第１台部１１０の側面を構成する側部１１３は、断面視テーパー状を呈し、上部から下部にかけて先すぼまり状を呈している。また、その側部１１３の上部は、断面視Ｌ字状に切り欠いた状態を呈する切り欠き部１１４を有する。切り欠き部１１４は、カラー部１３０と嵌合するためのものであり、その説明は後述する。また、凹部１１２と欠き部１１４との間に上部へ突出した上端部１１５を有する。
【００２０】
雄ホック部１２０は、上方に突出し、雌くるみボタン２００と嵌合する突起部１２１と、その突起部１２１を支持するための円盤状を呈する基部１２２を有する。突起部１２１は、基部１２２のほぼ中心に配置されている。また、突起部１２１は膨頭１２１ａと円筒状の突軸１２１ｂとを有し、突起部１２１の上端部に、突軸１２１ｂの軸径よりも大径の膨頭１２１ａを配置している。また、雄ホック部１２０の内部１２３は、空洞である（図２参照）。なお本実施例において、雄ホック部１２０は金属性が好ましい。
【００２１】
カラー部１３０は平面視環状を呈し、円形の空所である孔部１３１とその周辺に配置したカラー上端部１３２と、そのカラー上端部１３２から下方にほぼ垂直に垂れ下がるように配置された縁部１３３を有する。カラー部１３０は、金属性が好ましく、後述するように、くるみ部材１４０を、第１台部１１０における側部１１３と挟み込むために、その縁部１３３を絞るようにカシメ加工することができる。
【００２２】
くるみ部材１４０は、ベースとなる第１台部１１０と、その第１台部１１０に配置される雄ホック部１２０と、カラー部１３０と、を包み込むために柔軟で比較的薄いものが好ましくい。このくるみ部材１４０は、くるみボタンとしての外観を構成するために、布類のみならず、皮革、合成樹脂製のフィルム状のものが好ましく、それらにより装飾性を高めることができる。
【００２３】
本実施例において、くるみ部材１４０は、ほぼ円形を呈する本体部１４１と、その本体部１４１の中心部に、孔であるくるみ孔部１４２を有している。このくるみ孔部１４２は、雄ホック部１２０における突起部１２１を露出させるためのものである。
【００２４】
次に、雌くるみボタン２００について説明する。雌くるみボタン２００は、ベースとなる第２台部２１０と、その台部に配置される雌ホック部２２０と、第２カラー部２３０と、それらを包む第２くるみ部材２４０とを有する。
【００２５】
ベースとなる第２台部２１０は、文字通り、雌ホック部２２０を載置するための台となるものであって、平面視ほぼ円盤状を呈し、ほぼ雌くるみボタン２００の形状を構成するものである。この第２台部２１０はその中心に、後述する雌ホック部２２０における中空筒状のホック筒部２２１を配置するために中空筒状の空所を有する第２孔部２１１を有している。また、第２孔部２１１を取り囲むように同心円状の凹部である第２凹部２１２を有する。この第２凹部２１２に上述の雌ホック部２２０を載置する。
【００２６】
第２台部２１０の側面を構成する第２側部２１３は、断面視テーパー状を呈し、上部から下部にかけて先すぼまり状を呈している。また、その第２側部２１３の上部は、断面視Ｌ字状に切り欠いた状態を呈する第２切り欠き部２１４を有する。第２切り欠き部２１４は、第２カラー部２３０と嵌合するためのものであり、その説明は後述する。また、第２凹部２１２と第２切り欠き部２１４との間に上部へ突出した第２上端部２１５を有する。
【００２７】
雌ホック部２２０は、中心に中空筒状のホック筒部２２１を有し、そのホック筒部２２１の内部に、軸状のばね２２２、２２２を、間に空所を設けて２個並行して設けている。軸状のばね２２２、２２２は、雄くるみボタン１００との嵌合時に、その雄くるみボタン１００における突起部１２１を両側から挟むように接触可能に、その軸状のばね２２２、２２２を設けている。すなわち、軸状のばね２２２、２２２は、雄くるみボタン１００における突起部１２１との接触によりその突起部１２１の膨頭１２１ａによって押圧され、側方へ弾性変形するように形成されている。また、中空筒状のホック筒部２２１の下端部２２１ａは、その内径がそのホック筒部２２１の内径と比して小となっている。したがって後述するように雌用リベット２８０を用いることによって、この雌用リベット２８０がホック筒部２２１の下端部２２１ａと嵌合することにより、生地Ｙにこの雌くるみボタン２００を固定することができる。なお本実施例において、雌ホック部２２０は金属性が好ましい。
【００２８】
第２カラー部２３０は、平面視環状を呈し、円形の空所である孔部２３１とその周辺に配置した第２カラー上端部２３２と、その第２カラー上端部２３２から下方にほぼ垂直に垂れ下がるように配置された縁部２３３を有する。第２カラー部３３０は、金属性が好ましく、後述するように、第２くるみ部材２４０を、第２台部２１０における第２側部２１３と挟み込むために、その第２縁部２３３を絞り加工することができる。
【００２９】
第２くるみ部材２４０は、ベースとなる第２台部２１０と、その第２台部２１０に配置される雌ホック部２２０と、第２カラー部２３０と、を包み込むために柔軟で比較的薄いものが好ましく、くるみボタンとしての外観を構成するために、布類のみならず、皮革、合成樹脂製のフィルム状のものが好ましく、それらにより装飾性を高めることができる。
【００３０】
本実施例において、第２くるみ部材２４０は、ほぼ円形を呈する第２本体部２４１と、その第２本体部２４１の中心部に、孔である第２くるみ孔部２４２を有している。この第２くるみ孔部２４２は、雄ホック部１２０における突起部１２１を進入させるためのものであり、その突起部１２１とホック孔部２２１が嵌合するためにその孔である第２くるみ孔部２４２を有するものである。
【００３１】
次に雄くるみボタン１００の組み立てについて説明する。ベースとなる第１台部１１０においてその凹部１１２に雄ホック部１２０を配置する。また、カラー部１３０を、第１台部１１０における切り欠き部１１４に載置する。この場合、カラー部１３０におけるカラー上端部１３２と上端部１１５は面一となることが好ましい。
【００３２】
またその上からくるみ部材１４０をあてがうように配置し、くるみ部材１４０における孔であるくるみ孔部１４２から、凹部１１２に配置した雄ホック部１２０における突起部１２１を露出するように配置すると共に、本体部１４１の外形を構成するその周辺である縁部分を、カラー部１３０における縁部１３３と、第１台部１１０における側部１１３と、の間に挟み込むように配置し、上部から下部にかけて先すぼまり状を呈している断面視テーパー状の側部１１３に倣うように、その第２カラー部２３０における縁部２３３を、カシメ加工をすることによって、くるみ部材１４０を固定する。すなわち、くるみ部材１４０における本体部１４１の外形を構成する周辺の縁部分は、カラー部１３０における縁部１３３と、第１台部１１０における側部１１３と、の間に挟み込まれることによって、固定される。この場合において、くるみ部材１４０は、側部１１３まではくるみつつ、ベースとなる第１台部１１０の裏部分１１６は露出する。
【００３３】
このように雄くるみボタン１００を組み立てると、第１台部１１０における孔部１１１と、雄ホック部１２０の内部１２３が連通し、雄用リベット１８０が進入することができる。したがって、後述するように、この雄用リベット１８０をカシメることで、生地Ｘに雄くるみボタン１００を固定することができる。
【００３４】
次に雌くるみボタン２００の組み立てについて説明する。ベースとなる第２台部２１０においてその第２凹部２１２に雌ホック部２２０を配置とともに、雌ホック部２２０における中空筒状のホック筒部２２１は、第２孔部２１１に嵌合するように配置する。
【００３５】
また、第２カラー部２３０を、第２台部２１０における第２切り欠き部２１４に載置する。この場合、第２カラー部２３０における第２カラー上端部２３２と第２上端部２１５は面一となることが好ましい。
【００３６】
また、その上から第２くるみ部材２４０をあてがうように配置し、第２くるみ部材２４０における孔である第２くるみ孔部２４２と、第２凹部２１２に配置した雌ホック部２２０におけるホック筒部２２１とを連通するように配置する。また、それとともに、第２くるみ部材２４０における第２本体部２４１の外形を構成するその周辺である縁部分を、第２カラー部２３０における縁部２３３と、第２台部２１０における第２側部２１３と、の間に挟み込むように配置し、上部から下部にかけて先すぼまり状を呈している断面視テーパー状の第２側部２１３に倣うように、その第２カラー部２３０における縁部２３３を、カシメ加工をすることによって、第２くるみ部材２４０を固定する。すなわち、第２くるみ部材２４０における第２本体部２４１の外形を構成する周辺の縁部分は、第２カラー部２３０における縁部２３３と、第２台部２１０における第２側部２１３と、の間に挟み込まれることによって、固定される。この場合において、第２くるみ部材２４０は、第２側部２１３まではくるみつつ、ベースとなる第２台部２１０の裏部分２１６は露出する。
【００３７】
このように雌くるみボタン２００を組み立てると、第２台部２１０における第２孔部２１１に嵌合する雌ホック部２２０における中空筒状のホック筒部２２１の内部に雌用リベット２８０が進入することができる。したがって、後述するように、この雌用リベット２８０をカシメることで、生地Ｙに雌くるみボタン２００を固定することができる。
【００３８】
次に、雄くるみボタン１００と雌くるみボタン２００と、をそれぞれ生地Ｘ、Ｙに取り付ける。まず、雄くるみボタン１００を生地Ｘに当てがい、雄用リベット１８０で、その生地Ｘに孔を穿ちつつ、雄くるみボタン１００をカシメる。このとき、生地Ｘはつれることなく雄くるみボタン１００を生地Ｘに取り付けることができる。また、その際に、雄用リベット１８０におけるリベット軸１８１が、雄くるみボタン１００における孔部１１１に挿入し、その後雄ホック部１２０の内部１２３に進入して、カシメることができる。よって、雄くるみボタン１００を生地Ｘに取り付ける作業時間の短縮をはかることができるために、生産性が向上する。
【００３９】
また、雌くるみボタン２００を生地Ｙに当てがい、雌用リベット２８０で、その生地Ｙに孔を穿ちつつ、雌くるみボタン２００をカシメる。このとき、生地Ｙはつれることなく雌くるみボタン２００を生地Ｙに取り付けることができる。また、その際に、雌用リベット２８０が、雌くるみボタン２００における中空筒状のホック筒部２２１に挿入して、カシメることができる。よって、雌くるみボタン２００を生地Ｙに取り付ける作業時間の短縮をはかることができるために、生産性が向上する。なお、雄用リベット１８０と雌用リベット２８０とは、共に金属製が好ましい。
【００４０】
また、生地Ｘと生地Ｙとをあわせて、雄くるみボタン１００と、雌くるみボタン２００と、を互いに嵌合させる。よって上述のとおり、ジャケットの前身ごろを留めあわせるために、その一方を生地Ｘとし、他方を生地Ｙとすれば、雄くるみボタン１００と雌くるみボタン２００とを使用することができる。
【符号の説明】
【００４１】
１００  雄くるみボタン
１１０  第１台部
１１１  孔部
１１２  凹部
１１３  側部
１１４  切り欠き部
１２０  雄ホック部
１２１  突起部
１２３  内部
１３０  カラー部
１３３  縁部
１４０  くるみ部材
１８０  雄用リベット
２００  雌くるみボタン
２１０  第２台部
２１１  第２孔部
２１２  第２凹部
２１３  第２側部
２１４  第２切り欠き部
２２０  雌ホック部
２２１  ホック筒部
２３０  第２カラー部
２４０  第２くるみ部材
２８０  雌用リベット
Ｘ、Ｙ  生地
【図１】
2019162238.tif 000003
【図２】
2019162238.tif 000004
【図３】
2019162238.tif 000005
【図４】
2019162238.tif 000006
【図５】
2019162238.tif 000007
【図６】
2019162238.tif 000008
【図７】
2019162238.tif 000009
【図８】
2019162238.tif 000010
【図９】
2019162238.tif 000011
【図１０】
2019162238.tif 000012